(57)【要約】【課題】複数台設置された室内機の一つの温度検知手段に不具合が発生しても、空気調和機全体を停止する必要のない多室形空気調和機を提供する。【解決手段】圧縮機６を内蔵した１台の室外機２と、それぞれ室内膨張弁１６ａ、１６ｂと、室内熱交換器１４ａ、１４ｂと、室内熱交換器１４ａ、１４ｂの温度を検出する室内熱交換器温度検知手段２８ａ、２８ｂを有する複数の室内機４ａ、４ｂからなる多室形空気調和機において、例えば、一つの室内熱交換器温度検知手段２８ａが異常と判断された場合に、他の正常な室内熱交換器（１４ｂ）の室内熱交換器温度とガス冷媒温度との差によって算出される過熱度を前記室内機の能力に基づいて補正を行い、室内熱交換器温度検知手段２８ａが搭載された室内機４ａの過熱度と見なし、この過熱度が所定の値に収まるように、室内機４ａの室内膨張弁１６ａの開度を制御するようにした。【選択図】図１
2009121701.tif 000002
【特許請求の範囲】
【請求項１】
１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度とガス冷媒温度との差によって算出される過熱度を前記室内機の能力に基づいて補正を行い、室内熱交換器温度検知手段の異常が発生した室内機（以下、「異常室内機」という）の過熱度と見なし、この過熱度が所定の値に収まるように、前記異常室内機の室内膨張弁の開度を制御するようにした多室形空気調和機。
【請求項２】
１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかのガス冷媒温度検知手段が異常と判断された場合に、他の正常な室内熱交換器の室内熱交換器温度とガス冷媒温度との差によって算出される過熱度を前記室内機の能力に基づいて補正を行い、ガス冷媒温度検知手段の異常が発生した室内機（以下、「異常室内機」という）の過熱度と見なし、この過熱度が所定の値に収まるように、前記異常室内機の室内膨張弁の開度を制御するようにした多室形空気調和機。
【請求項３】
１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度の内、前記室内熱交換器温度検知手段の異常が発生した室内機（以下、「異常室内機」という）に最も近い能力を持った正常な室内機の熱交換器温度を、前記異常室内機の熱交換器温度と見なし、この温度とガス冷媒温度との差からなる過熱度が所定の値に収まるように、前記異常室内機の室内膨張弁の開度を制御するようにした多室形空気調和機。
【請求項４】
１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器との能力差が所定の範囲を超える場合、室内熱交換器温度の内、最も低い熱交換器温度とガス冷媒温度との差によって算出される過熱度を、室内熱交換器温度検知手段の異常が発生した室内機（以下、「異常室内機」という）の過熱度と見なし、この過熱度が所定の値に収まるよう、前記異常室内機の室内膨張弁の開度を制御するようにした多室形空気調和機。
【請求項５】
室内熱交換器温度検知手段の出力が正常か否かを使用者の判断によって選択して、手動で異常と認識させることができる機能を備えた請求項１から４のいずれか１項に記載の多室形空気調和機。
【発明の詳細な説明】
【技術分野】
【０００１】
本発明は、１台の室外機に複数の室内機を接続してなる多室形空気調和機に関するもので、さらに詳しくは、室内機の温度検知手段に異常が発生した場合に、これを補う手段に関するものである。
【背景技術】
【０００２】
複数の室内熱交換器を備えた多室形空気調和機においては、各室内熱交換器の温度を検出するための室内熱交換器温度検知手段と、ガス冷媒の温度を検出するためのガス冷媒温度検知手段が取り付けられている。冷房運転時においては、ガス冷媒の温度と室内熱交換器の温度との差から、冷媒の過熱度を認識し、過熱度の値が所定の範囲に収まるように、各室内機に搭載された膨張弁の開度を調整する。これらの温度検知手段に不具合があると判断された場合、従来の多室形空気調和機では、温度検知手段の異常を改善するまでの一時的な手段として、膨張弁の開度を一定値に固定するか、別の室内熱交換器の温度を、異常が発生した室内機の熱交換器温度として認識させ、過熱度を認識させていた（例えば、特許文献１参照）。
【特許文献１】特開平１１−２３７０９７号公報
【発明の開示】
【発明が解決しようとする課題】
【０００３】
しかしながら、上記従来の多室形空気調和機の構成では、室内熱交換器の室内熱交換器温度検知手段に異常が発生した場合に、膨張弁の開度を一定にしてしまうと、他室内機の運転の組合せ状況によって、各室内熱交換器への分流バランスがくずれてしまう。例えば、他室の運転台数が多い場合に、膨張弁開度が一定値であると、室内熱交換器温度検知手段が異常の室内機への冷媒流量が他室内機への冷媒流量と相対的に少なくなってしまい、異常な過熱状態になる恐れがある。また、運転台数が少ない場合には、逆に相対的に多くなってしまい、冷媒が十分に蒸発されずに圧縮機に戻ってきてしまい、液バックを生じる恐れがあった。
【０００４】
さらに、前記従来の多室形空気調和機の構成では、室外機に膨張弁を持つ多室形空気調和機にのみ言及しているが、室内機に膨張弁を内蔵し、分流方式が異なる多室形空気調和機においては、室内に絞り機構を持つため、冷媒を液相で各室内機へ搬送しており、１室の膨張弁開度が不適切な値では、全体の能力低下、及び機器への信頼性・安全性を損なうといった課題があった。
【０００５】
本発明は、上記従来の課題を解決するもので、複数台設置された室内機の一つの温度検知手段に不具合が発生しても、空気調和機全体を停止する必要がなく、温度検知手段を修理するまでの間、不必要な異常停止を回避して運転率を上げ、全体の能力低下、及び信頼性・安全性を損なうこと無い多室形空気調和機を提供することを目的とする。
【課題を解決するための手段】
【０００６】
上記従来の課題を解決するために、本発明の多室形空気調和機は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度とガス冷媒温度との差によって算出される過
熱度を前記室内機の能力に基づいて補正を行い、室内熱交換器温度検知手段の異常が発生した室内機（以下、「異常室内機」という）の過熱度と見なし、この過熱度が所定の値に収まるように、前記異常室内機の室内膨張弁の開度を制御するようにしたもので、複数台設置された室内機の一つの室内熱交換器温度検知手段に不具合が発生しただけでは、空気調和機全体を停止する必要がなくなり、室内熱交換器温度検知手段を修理するまでの間、不必要な異常停止を回避して運転率を上げることができる。
【０００７】
また、本発明の多室形空気調和機は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかのガス冷媒温度検知手段が異常と判断された場合に、他の正常な室内熱交換器の室内熱交換器温度とガス冷媒温度との差によって算出される過熱度を前記室内機の能力に基づいて補正を行い、ガス冷媒温度検知手段の異常が発生した室内機（以下、「異常室内機」という）の過熱度と見なし、この過熱度が所定の値に収まるように、前記異常室内機の室内膨張弁の開度を制御するようにしたもので、複数台設置された室内機の一つのガス冷媒温度検知手段に不具合が発生しただけでは、空気調和機全体を停止する必要がなくなり、ガス冷媒温度検知手段を修理するまでの間、不必要な異常停止を回避して運転率を上げることができる。
【０００８】
また、本発明の多室形空気調和機は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度の内、前記室内熱交換器温度検知手段の異常が発生した室内機（以下、「異常室内機」という）に最も近い能力を持った正常な室内機の熱交換器温度を、前記異常室内機の熱交換器温度と見なし、この温度とガス冷媒温度との差からなる過熱度が所定の値に収まるように、前記異常室内機の室内膨張弁の開度を制御するようにしたもので、室内熱交換器の能力が違うために生じる蒸発能力の違いによる過熱度の誤差をできるだけ解消し、異常室内機の熱交換器温度の代わりとして認識させるための精度をあげることができる。
【０００９】
また、本発明の多室形空気調和機は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器との能力差が所定の範囲を超える場合、室内熱交換器温度の内、最も低い熱交換器温度とガス冷媒温度との差によって算出される過熱度を、室内熱交換器温度検知手段の異常が発生した室内機（以下、「異常室内機」という）の過熱度と見なし、この過熱度が所定の値に収まるよう、前記異常室内機の室内膨張弁の開度を制御するようにしたもので、空気調和機全体の冷凍サイクルの安定化を図ることができる。
【発明の効果】
【００１０】
本発明の多室形空気調和機は、室内熱交換器温度検知手段やガス冷媒温度検知手段のいずれかが異常になった場合にも、全体を停止することを回避でき、運転率を上げつつ、異
常になった影響を最小限に抑制することができ、信頼性、安全性に優れた多室形空気調和機を提供することができる。
【発明を実施するための最良の形態】
【００１１】
第１の発明は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度とガス冷媒温度との差によって算出される過熱度を前記室内機の能力に基づいて補正を行い、室内熱交換器温度検知手段の異常が発生した室内機（以下、「異常室内機」という）の過熱度と見なし、この過熱度が所定の値に収まるように、前記異常室内機の室内膨張弁の開度を制御するようにしたもので、複数台設置された室内機の一つの室内熱交換器温度検知手段に不具合が発生しただけでは、空気調和機全体を停止する必要がなくなり、室内熱交換器温度検知手段を修理するまでの間、不必要な異常停止を回避して運転率を上げることができる。
【００１２】
第２の発明は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかのガス冷媒温度検知手段が異常と判断された場合に、他の正常な室内熱交換器の室内熱交換器温度とガス冷媒温度との差によって算出される過熱度を前記室内機の能力に基づいて補正を行い、ガス冷媒温度検知手段の異常が発生した室内機（以下、「異常室内機」という）の過熱度と見なし、この過熱度が所定の値に収まるように、前記異常室内機の室内膨張弁の開度を制御するようにしたもので、複数台設置された室内機の一つのガス冷媒温度検知手段に不具合が発生しただけでは、空気調和機全体を停止する必要がなくなり、ガス冷媒温度検知手段を修理するまでの間、不必要な異常停止を回避して運転率を上げることができる。
【００１３】
第３の発明は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器の室内熱交換器温度の内、前記室内熱交換器温度検知手段の異常が発生した室内機（以下、「異常室内機」という）に最も近い能力を持った正常な室内機の熱交換器温度を、前記異常室内機の熱交換器温度と見なし、この温度とガス冷媒温度との差からなる過熱度が所定の値に収まるように、前記異常室内機の室内膨張弁の開度を制御するようにしたもので、室内熱交換器の能力が違うために生じる蒸発能力の違いによる過熱度の誤差をできるだけ解消し、異常室内機の熱交換器温度の代わりとして認識させるための精度をあげることができる。
【００１４】
第４の発明は、１台の室外機と、前記室外機に接続された複数の室内機からなり、前記室外機は、圧縮機と、四方弁と、室外熱交換器を内蔵し、前記室内機のそれぞれは、室内膨張弁と、室内熱交換器と、前記室内熱交換器の温度を検出する室内熱交換器温度検知手段と、前記室内熱交換器から流出するガス冷媒の温度を検出するガス冷媒温度検知手段を備えた多室形空気調和機において、前記複数の室内機の内のいずれかの室内熱交換器温度検知手段が異常と判断された場合に、他の正常な室内熱交換器との能力差が所定の範囲を
超える場合、室内熱交換器温度の内、最も低い熱交換器温度とガス冷媒温度との差によって算出される過熱度を、室内熱交換器温度検知手段の異常が発生した室内機（以下、「異常室内機」という）の過熱度と見なし、この過熱度が所定の値に収まるよう、前記異常室内機の室内膨張弁の開度を制御するようにしたもので、空気調和機全体の冷凍サイクルの安定化を図ることができる。
【００１５】
第５の発明は、特に、第１〜４のいずれか一つの発明の室内熱交換器温度検知手段の出力が正常か否かを使用者の判断によって選択して、手動で異常と認識させることができる機能を備えたもので、室内熱交換器温度検知手段の異常検知精度は、室内熱交換器温度検知手段の断線や、短絡の場合においては、比較的精度の高い異常検知が行われるが、単なる室内熱交換器温度検知手段の外れなどの場合は、自動的に認識させることが難しいので、使用者または修理作業者が、室内熱交換器温度検知手段の外れによる異常と判断した場合に、応急処置として手動で異常と認識させることにより、多室形空気調和機全体を停止することなく動作できるため、他の室の室内機の使用者に不快感を与えることなく、作業効率を向上させることができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における多室形空気調和機のブロック図、図２は、同多室形空気調和機のフローチャートである。
【００１８】
図１において、本実施の形態における多室形空気調和機は、１台の室外機２に、複数台（図１では２台）の室内機４ａ、４ｂが冷媒配管１ａを介して接続されている。室外機２には、冷媒配管１ａにより順次接続された圧縮機６と、四方弁８と、室外熱交換器１０と、室外膨張弁１２とが設けられる一方、各室内機４ａ、４ｂには、冷媒配管１ａにより順次接続された室内熱交換器１４ａ、１４ｂと、室内膨張弁１６ａ、１６ｂが設けられており、複数台の室内機４ａ、４ｂは、室外機２に対し並列に接続されている。
【００１９】
また、室外機２には、室外熱交換器１０に空気を送る室外ファン１８が設けられており、室内機４ａ、４ｂには、室内熱交換器１４ａ、１４ｂに空気を送る室内ファン２６ａ、２６ｂと、冷房あるいは除湿運転時における室内熱交換器１４ａ、１４ｂの冷媒蒸発温度あるいは、暖房運転時における室内熱交換器１４ａ、１４ｂの冷媒凝縮温度を検知する室内熱交換器温度検知手段２８ａ、２８ｂと、冷房運転時における室内機４ａ、４ｂのガス冷媒の温度を検出するガス冷媒温度検知手段２９ａ、２９ｂと、室内ファン２６ａ、２６ｂに吸い込まれる室内温度を検知する室内温度検知手段３０ａ、３０ｂが設けられている。
【００２０】
以上のように構成された本実施の形態における多室形空気調和機の動作、作用は以下の通りである。
【００２１】
冷房あるいは除湿運転時には、冷媒が図１に示される実線の矢印方向に流れて、圧縮機６から吐出された冷媒が、室外機２を経て、室内機４ａ、４ｂに送られるように四方弁８は切り換えられる。冷凍サイクル上での絞り機構は、室内膨張弁１６ａ、１６ｂであり、これを適切な開度にするため、室内熱交換器１４ａ、１４ｂのそれぞれの熱交換器温度とガス冷媒の温度との差からなる過熱度が所定の値になるように各室内機４ａ、４ｂがそれぞれ制御している。
【００２２】
多室形空気調和機全体として冷房運転を行っていて、例えば、室内機４ａが停止してい
る（他室内機は冷房運転）場合は、室内ファン２６ａは停止し、室内膨張弁１６ａは完全に閉鎖しており、室内熱交換器１４ａ内部に冷媒の流通が無いようにしている。暖房運転時には、圧縮機６から吐出された冷媒が、室内機４ａ、４ｂを経て室外機２に送られるように四方弁８が切り換えられる。この際、室内機４ａ、４ｂに搭載された室内膨張弁１６ａ、１６ｂは、全開状態にしており、冷凍サイクル上での絞り機構は室外膨張弁１２であり、これを適切な開度にし、最適な冷凍サイクルを形成する。
【００２３】
次に、本実施の形態における多室形空気調和機が、全体として冷房運転を行っている状態において、室内機が室内熱交換器温度を検知する時の動作を図２のフローチャートを参照しながら説明する。
【００２４】
なお、以下においては、室内機４ａについて説明しているが、室内機４ｂや図示していない他の室内機において同様の選択がなされた場合も同様の制御が行われる。
【００２５】
まず、多室形空気調和機全体としていずれかの室内機、例えば室内機４ａが冷房運転を開始された時（ステップＳ１）、室内熱交換器温度検知手段２８ａ及びガス冷媒温度検知手段２９ａによって温度計測を行う（ステップＳ２）。
【００２６】
次に、自己室内機、すなわち室内機４ａの室内熱交換器温度検知手段２８ａが異常であるかどうかを判断する（ステップＳ３）。室内熱交換器温度検知手段２８ａが異常であれば、表示部（図示せず）に室内熱交換器温度検知手段２８ａが異常であることを表示し（ステップＳ４）、他の運転室内機、例えば、室内機４ｂにおける過熱度の値が所定の範囲に収まるように室内膨張弁１６ｂを制御する（ステップＳ５）。
【００２７】
これにより、複数台設置された室内機の一つの室内熱交換器温度検知手段に不具合が発生しただけでは、多室形空気調和機全体を停止する必要がなくなり、室内熱交換器温度検知手段を修理するまでの間、不必要な異常停止を回避して運転率を上げることができる。
【００２８】
（実施の形態２）
図３は、本発明の第２の実施の形態における多室形空気調和機の室内機が室内熱交換器温度を検知する時の動作を示すフローチャートである。なお、上記第１の実施の形態における多室形空気調和機と同一部分については、同一符号を付してその説明を省略する。
【００２９】
なお、以下では、室内機４ａについて説明しているが、室内機４ｂや図示していない他の室内機において同様の選択がなされた場合も同様の制御が行われる。
【００３０】
本実施の形態における多室形空気調和機が全体として冷房運転を行っている状態において、室内機が室内熱交換器温度を検知する時の動作を図３のフローチャートを参照しながら説明する。
【００３１】
まず、多室形空気調和機全体としていずれかの室内機、例えば、室内機４ａが冷房運転を開始された時（ステップＳ１）、室内熱交換器温度検知手段２８ａ及びガス冷媒温度検知手段２９ａによって温度計測を行う（ステップＳ２）。次に、自己室内機、すなわち室内機４ａのガス冷媒温度検知手段２９ａが異常であるかどうかを判断する（ステップＳ３）。
【００３２】
ガス冷媒温度検知手段２９ａが異常であれば、表示部（図示せず）にガス冷媒温度検知手段２９ａが異常であることを表示し（ステップＳ４）、他の運転室内機、例えば、室内機４ｂにおける過熱度の値が所定の範囲に収まるように室内膨張弁１６ｂを制御する（ステップＳ５）。
【００３３】
これにより、熱交換器温度検知手段２８ａの異常だけでなく、ガス冷媒温度検知手段２９ａが異常であった場合においても同様に空気調和機全体を停止する必要がなくなり、ガス冷媒温度検知手段２９ａを修理するまでの間、不必要な異常停止を回避して運転率を上げることができる。
【００３４】
（実施の形態３）
図４は、本発明の第３の実施の形態における多室形空気調和機が全体として冷房運転を行っている状態で、室内機が室内熱交換器温度を検知する時の動作を示すフローチャートである。なお、上記実施の形態における多室形空気調和機と同一部分については、同一符号を付してその説明を省略する。
【００３５】
なお、以下では、室内機４ａについて説明しているが、室内機４ｂや図示していない他の室内機において同様の選択がなされた場合も同様の制御が行われる。
【００３６】
図４において、ステップＳ１からステップＳ４までは実施の形態１と同様に作用する。その後、異常と判断された室内機、例えば、室内機４ａの能力に最も近い能力を持つ運転室内機、例えば、室内機４ｂの過熱度を認識させる（ステップＳ５）。そしてその過熱度の値が所定の範囲に収まるように室内膨張弁１６ｂを制御する（ステップＳ６）。
【００３７】
これにより、室内機の機種違いによる蒸発能力の差からくる膨張弁操作量の誤差を最小限にすることができ、熱交換器温度検知手段が異常になった場合の影響をより最小化することができる。
【００３８】
（実施の形態４）
図５は、本発明の第４の実施の形態における多室形空気調和機が全体として冷房運転を行っている状態で、室内機が室内熱交換器温度を検知する時の動作を示すフローチャートである。なお、上記実施の形態における多室形空気調和機と同一部分については、同一符号を付してその説明を省略する。
【００３９】
なお、以下では、室内機４ａについて説明しているが、室内機４ｂや図示していない他の室内機において同様の選択がなされた場合も同様の制御が行われる。
【００４０】
ステップＳ１からステップＳ４までは実施の形態１と同様に作用する。その後、運転室内機、例えば室内機４ａと、異常室内機、例えば、室内機４ｂとの能力差が所定の範囲内であるかどうかの判断をする（ステップＳ５）。
【００４１】
所定の範囲内であれば実施の形態３同様の動作を行う（ステップＳ８〜Ｓ９）。所定の範囲を超えていれば、運転室内機の中で最も温度が低い室内機、例えば、室内機４ａの熱交換器温度と異常室内機（室内機４ｂ）のガス冷媒温度との差を過熱度として認識させる（ステップＳ６）。そしてその過熱度の値が所定の範囲に収まるように室内膨張弁１６ｂを制御する（ステップＳ７）。
【００４２】
これにより、室内機の機種違いによる蒸発能力の差からくる膨張弁操作量の誤差を最小限にすることができ、熱交換器温度検知手段が異常になった場合の影響をより最小化することができる。
【００４３】
（実施の形態５）
図６は、本発明の第５の実施の形態における多室形空気調和機が全体として冷房運転を行っている状態で、室内機が室内熱交換器温度を検知する時の動作を示すフローチャート
である。なお、上記実施の形態における多室形空気調和機と同一部分については、同一符号を付してその説明を省略する。
【００４４】
ステップＳ１からステップＳ２までは実施の形態１と同様に作用する。
【００４５】
使用者が、ステップＳ３で、使用している室内機、例えば、室内機４ａの室内熱交換器温度検知手段２８ａが正常であるかどうかの判断を制御入力手段（図示せず）によって入力し、これを認識させる。ステップＳ４からＳ９は実施の形態４と同様に行う。
【００４６】
これにより、室内熱交換器温度検知手段が異常であっても異常であることが認識されない等、誤動作が重なった場合に、他室内機の使用者に不快感を与えることなく、異常が発生した室内機の使用者の判断で応急処置としての運転をすることができる。
【産業上の利用可能性】
【００４７】
以上のように、本発明に係る多室形空気調和機は、複数台設置された室内機の一つの温度検知手段に不具合が発生しても、空気調和機全体を停止する必要がなく、温度検知手段を修理するまでの間、不必要な異常停止を回避して運転率を上げ、全体の能力低下、及び信頼性・安全性を損なうことが無いもので、家庭用、業務用の各種多室形空気調和機に適用できる。
【図面の簡単な説明】
【００４８】
【図１】本発明の実施の形態１における多室形空気調和機のブロック図
【図２】同多室形空気調和機のフローチャート
【図３】本発明の実施の形態２における多室形空気調和機の室内機が室内熱交換器温度を検知する時の動作を示すフローチャート
【図４】本発明の実施の形態３における多室形空気調和機の室内機が室内熱交換器温度を検知する時の動作を示すフローチャート
【図５】本発明の実施の形態４における多室形空気調和機の室内機が室内熱交換器温度を検知する時の動作を示すフローチャート
【図６】本発明の実施の形態５における多室形空気調和機の室内機が室内熱交換器温度を検知する時の動作を示すフローチャート
【符号の説明】
【００４９】
２  室外機
４ａ、４ｂ  室内機
６  圧縮機
８  四方弁
１０  室外熱交換器
１２  室外膨張弁
１４ａ、１４ｂ  室内熱交換器
１６ａ、１６ｂ  室内膨張弁
１８  室外ファン
２６ａ、２６ｂ  室内ファン
２８ａ、２８ｂ  室内熱交換器温度検知手段
２９ａ、２９ｂ  ガス冷媒温度検知手段
３０ａ、３０ｂ  室内温度検知手段
【図１】
2009121701.tif 000003
【図２】
2009121701.tif 000004
【図３】
2009121701.tif 000005
【図４】
2009121701.tif 000006
【図５】
2009121701.tif 000007
【図６】
2009121701.tif 000008